(57)【要約】【課題】地震発生時に安全装置が誤作動して乗りかごが階床間に停止したときでも、乗りかごを階床まで走行させることができるエレベーター制御システムの提供。【解決手段】本発明に係るエレベーター制御システムは、地震発生時に乗りかご３が階床間に停止した状態で、地震感知器１と調速機４の双方から信号が出力されたか否か判断する判断部を有し、この判断部で地震感知器１と調速機４の双方から信号が出力されたと判断されたとき、エレベーター制御部５に入力されている調速機４の信号を無効とする制御信号を、エレベーター制御部５に出力する安全装置誤作動検出部８を備えた構成にしてある。【選択図】図１
2017193418.tif 000002
【特許請求の範囲】
【請求項１】
地震の発生を感知して信号を出力する地震感知器と、昇降路内に配置された乗りかごを停止させる信号を出力する安全装置と、前記地震感知器から出力された信号に応じて前記乗りかごを最寄り階まで走行させる制御を行うとともに、前記安全装置から出力された信号に応じて前記乗りかごを緊急停止させる制御を行うエレベーター制御部とを備えたエレベーター制御システムであって、
地震発生時に前記乗りかごが階床間に停止したときに前記地震感知器と前記安全装置の双方から信号が出力されたか否か判断する判断部を有し、前記判断部で前記地震感知器と前記安全装置の双方から信号が出力されたと判断されたとき、前記エレベーター制御部に入力された前記安全装置の信号を無効にする制御信号を、前記エレベーター制御部に出力する安全装置誤作動検出部を備えたことを特徴とするエレベーター制御システム。
【請求項２】
請求項１に記載のエレベーター制御システムであって、
前記安全装置誤作動検出部は、前記エレベーター制御部から出力された信号に基づいて前記乗りかごが停止したか否か判断する判断部を有していることを特徴とするエレベーター制御システム。
【請求項３】
請求項２に記載のエレベーター制御システムであって、
前記安全装置誤作動検出部は、前記エレベーター制御部から出力された信号に基づいて前記乗りかごがドア開閉可能範囲外で停止したか否か判断する判断部を有していることを特徴とするエレベーター制御システム。
【請求項４】
請求項３に記載のエレベーター制御システムであって、
前記安全装置誤作動検出部は、前記地震感知器から出力された信号に基づいて前記地震感知器による地震感知が終了したか否か判断する判断部を有していることを特徴とするエレベーター制御システム。
【請求項５】
請求項４に記載のエレベーター制御システムであって、
前記安全装置誤作動検出部は、地震による揺れが停止すると想定される所定時間が経過したか否か判断する判断部を有していることを特徴とするエレベーター制御システム。
【請求項６】
請求項５に記載のエレベーター制御システムであって、
前記安全装置誤作動検出部は、前記エレベーター制御部から出力された信号に基づいて前記乗りかご内の乗客の有無を判断する判断部を有していることを特徴とするエレベーター制御システム。
【請求項７】
請求項１に記載のエレベーター制御システムであって、
前記安全装置は、前記乗りかごの走行速度を検出する調速機から成り、
前記調速機は、前記乗りかごの走行速度が第１の設定値を超えたとき前記エレベーター制御部に信号を出力する電気スイッチと、前記乗りかごの走行速度が前記第１の設定値よりも大きい第２の設定値を超えたとき前記乗りかごを緊急停止させる非常止め装置を作動させる機械的なロック機構とを有していることを特徴とするエレベーター制御システム。
【請求項８】
請求項１に記載のエレベーター制御システムであって、
前記安全装置は、エレベーターホールのホールドアが開いたことを検出するドアスイッチ、または前記乗りかごのドアが開いたことを検出するドアスイッチを備えることを特徴とするエレベーター制御システム。
【発明の詳細な説明】
【技術分野】
【０００１】
本発明は、地震の発生時に地震時管制運転を行うエレベーター制御部を備えたエレベーター制御システムに関する。
【背景技術】
【０００２】
エレベーターにおいては、地震感知器の設置が義務付けられている。地震感知器により地震の発生が感知されたときには、特許文献１に開示されるように地震時管制運転が行われる。地震時管制運転は、エレベーターの乗りかごを走行させて下階床または上階床の最寄階で停止させ、乗りかごのドアを開く運転制御である。この地震時管制運転を行うことで、地震発生時に乗りかごの乗客を乗りかごからエレベーターホール、すなわち乗り場に退避させることができる。乗客が乗かご内から退避した後、エレベーターは運転休止状態となる。その後に技術員が当該エレベーターの安全点検を実施し、安全が確認されれば、エレベーターの運転が再開される。
【先行技術文献】
【特許文献】
【０００３】
【特許文献１】特開昭６１−５５０７８号公報
【発明の概要】
【発明が解決しようとする課題】
【０００４】
ところで従来、特許文献１に開示されているような地震時管制運転が行われているときに、エレベーターに備えられた乗りかごを停止させる安全装置が地震による建物の揺れによって誤作動し、乗りかごが階床間に緊急停止することがあった。このような事態を生じると、エレベーターの技術員が到着するまでの間、乗客は乗りかご内に閉じ込められた状態となり、乗客に与える不安感が大きくなってしまう。
【０００５】
上記課題を解決するために、本発明の目的は、地震発生時に安全装置が誤作動して乗りかごが階床間に停止したときでも、乗りかごを階床まで走行させることができるエレベーター制御システムを提供することにある。
【課題を解決するための手段】
【０００６】
上記課題を解決するために、本発明のエレベーター制御システムは、地震の発生を感知して信号を出力する地震感知器と、昇降路内に配置された乗りかごを停止させる信号を出力する安全装置と、前記地震感知器から出力された信号に応じて前記乗りかごを最寄り階まで走行させる制御を行うとともに、前記安全装置から出力された信号に応じて前記乗りかごを緊急停止させる制御を行うエレベーター制御部とを備えたエレベーター制御システムであって、地震発生時に前記乗りかごが階床間に停止したときに前記地震感知器と前記安全装置の双方から信号が出力されたか否か判断する判断部を有し、前記判断部で前記地震感知器と前記安全装置の双方から信号が出力されたと判断されたとき、前記エレベーター制御部に入力された安全装置の信号を無効にする制御信号を、前記エレベーター制御部に出力する安全装置誤作動検出部を備えたことを特徴としている。
【発明の効果】
【０００７】
本発明に係るエレベーター制御システムは、地震発生時に安全装置が誤作動して乗りかごが階床間に停止したときでも、乗りかごを階床まで走行させることができる。これにより、従来に置けるような地震発生時の安全装置の誤作動に伴う乗りかご内の乗客の閉じ込めを防ぐことができ、乗りかごの乗客に与える不安感を抑えることができる。前述した以外の課題、構成及び効果は、以下の実施形態の説明により明らかにされる。
【図面の簡単な説明】
【０００８】
【図１】本発明に係るエレベーター制御システムの一実施形態の構成を示す図である。
【図２】本実施形態に備えられた安全装置誤作動検出部及びエレベーター制御部における処理手順を示すフローチャートである。
【発明を実施するための形態】
【０００９】
以下、本発明に係るエレベーター制御システムの実施の形態を図面に基づいて説明する。
【００１０】
図１に示すように、本実施形態に係るエレベーター制御システムは、地震の発生を感知して信号を出力する地震感知器１と、昇降路２内に配置された乗りかご３を停止させる信号を出力する安全装置、例えば調速機４とを備えている。また、地震感知器１から出力された信号に応じて乗りかご３を最寄り階まで走行させる制御を行うとともに、調速機４から出力された信号に応じて乗りかご３を緊急停止させる制御を行うエレベーター制御部５を備えている。
【００１１】
乗りかご３には、この乗りかご３内の乗客の有無を検出する乗客検出センサ６が取り付けられており、乗客検出センサ６の信号はエレベーター制御部５に入力される。
【００１２】
前述した調速機４は、乗りかご３とロープ７で連結されており、乗りかご３の走行速度を検出する。この調速機４は、乗りかご３の走行速度が第１の設定値、例えば乗りかご３の定格速度の１．３倍を超えたときに、エレベーター制御部５に信号を出力する電気スイッチを備えている。また、乗りかご３の走行速度が第１の設定値よりも大きい第２の設定値、例えば乗りかご３の定格速度の１．４倍を超えたときに、乗りかご３を案内するガイドレールを瞬時に把持して乗りかご３を緊急停止させる図示しない非常止め装置を作動させる機械的なロック機構を備えている。
【００１３】
また、本実施形態は、地震発生時に乗りかご３が階床間に停止したときに地震感知器１と調速機４の双方から信号が出力されたか否か判断する判断部を有し、この判断部で地震感知器１と調速機４の双方から信号が出力されたと判断されたとき、エレベーター制御部５に入力された調速機４の信号を無効にする制御信号を、エレベーター制御部５に出力する安全装置誤作動検出部８を備えている。
【００１４】
前述したエレベーター制御部５と安全装置誤作動検出部８は、例えば昇降路２の頂部に設けられた機械室９に設置された制御盤１０に含まれている。
【００１５】
また、エレベーター制御部５は、当該エレベーターを監視する監視装置１１に接続されており、当該エレベーターの故障を含む稼働状況が監視装置１１から通信回線１２を介して、当該エレベーターから遠隔的に配置された管制センター１３に送信されるようになっている。管制センター１３は、当該エレベーターを含む複数のエレベーターを遠隔的に監視している。
【００１６】
安全装置誤作動検出部８は、エレベーター制御部５から出力された信号に基づいて、乗りかご３が停止したか否か判断する判断部と、エレベーター制御部５から出力された信号に基づいて、乗りかご３が階床間において停止したか否か、すなわちドア開閉可能範囲外に乗りかご３が停止したか否か判断する判断部とを有している。また、地震感知器１から出力された信号に基づいて地震感知が終了したか否か判断する判断部と、地震感知器１の信号を入力してからの時間を計測するタイマ部と、このタイマ部で計測された時間が、地震による揺れが停止すると想定される所定時間を経過したか否か判断する判断部と、エレベーター制御部５から出力された信号に基づいて、乗りかご３内の乗客の有無を判断する判断部とを有している。
【００１７】
エレベーター制御部５は、乗りかご３を昇降させる主ロープが巻回された巻上機のモータの回転数を検出する図示しないロータリーエンコーダから出力された検出値が０か否か判断する判断部を有している。ロータリーエンコーダから出力された検出値が０と判断されたとき、安全装置誤作動検出部８の判断部で乗りかご３が停止したと判断される。
【００１８】
また、エレベーター制御部５は、ホール側に設けられた図示しない光センサから出射された光が、乗りかご３に設けられた図示しない遮蔽板に遮られていないか否か判断する判断部を有している。その判断部で、光センサから出射された光が遮蔽板によって遮られていないと判断されたとき、その旨の信号が安全装置誤作動検出部８に出力され、安全装置誤作動検出部８の判断部で、乗りかご３が階床間において停止したと、すなわちドア開閉可能範囲外に乗りかご３が停止したと判断される。
【００１９】
また、エレベーター制御部５は、乗客検出センサ６から信号が出力されているか否か判断する判断部を有している。その判断部で乗客検出センサ６から信号が出力されていると判断されたときには、その旨の信号が安全装置誤作動検出部８に出力され、安全装置誤作動検出部８の判断部で、乗りかご３に乗客が存在すると判断される。
【００２０】
また、第１の設定値を超えたことによる信号が調速機４から出力されたとき、エレベーター制御部５は、乗りかご３を停止させる制御処理を行う。
【００２１】
また、エレベーター制御部５は、その判断部で前述の光センサから出射された光が遮蔽板によって遮られたと判断されたとき、乗りかご３のドアとホールドアを同期して開く制御処理と、その後に実施される乗りかご３のドアとホールドアを同期して閉じる制御処理とを行う。
【００２２】
次に、本発明に係るエレベーター制御システムに備えられた安全装置誤作動検出部８、及びエレベーター制御部５における処理手順について図２に基づいて説明する。
【００２３】
［ステップＳ１］  地震が発生して地震感知器１からエレベーター制御部５に地震の発生に相応する信号が出力されると、エレベーター制御部５は地震時管制運転を開始し、その旨の信号を安全装置誤作動検出部８に出力する。安全装置誤作動検出部８の判断部は、地震時管制運転が開始されたか否か判断しているが、今はエレベーター制御部５から出力された信号に基づいて地震時管制運転が開始されたと判断部で判断され、ステップＳ２に移る。なお、地震が発生せず、地震時管制運転が開始されないと判断部で判断されたときには、繰り返し、地震時管制運転が開始されたかどうかの判断が継続される。
【００２４】
［ステップＳ２］  エレベーター制御部５の判断部で前述したロータリーエンコーダの信号値が０になったと判断されたとき、その旨の信号が安全装置誤作動検出部８に出力される。このエレベーター制御部５から出力された信号に基づいて、安全装置誤作動検出部８の判断部で乗りかご３が停止したと判断され、ステップＳ３に移る。なお、エレベーター制御部５からロータリーエンコーダの信号値が０になった旨の信号が安全装置誤作動検出部８に出力されないときには、繰り返し、この安全装置誤作動検出部８の判断部で乗りかご３が停止したかどうかの判断が継続される。
【００２５】
［ステップＳ３］  前述した光センサから出射された光が遮蔽板によって遮られたとき、その旨の信号がエレベーター制御部５に出力される。このエレベーター制御部５から出力された信号に基づいて、安全装置誤作動検出部８の判断部で、乗りかご３はドア開閉可能範囲内に停止したと、すなわち最寄り階に停止したと判断され、ステップＳ４に移る。また、前述した光センサから出射された光が遮蔽板によって遮られていないとき、その旨の信号が安全装置誤作動検出部８に出力される。このエレベーター制御部５から出力された信号に基づいて、安全装置誤作動検出部８の判断部で、乗りかご３はドア開閉可能範囲外に停止したと、すなわち階床間に停止したと判断され、ステップＳ７に移る。
【００２６】
［ステップＳ４］  エレベーター制御部５の制御により、乗りかご３のドアと、乗り場すなわちホールのドアとを同期させて開く制御処理が行われ、ステップＳ５に移る。
【００２７】
［ステップＳ５］  乗りかご３内の乗客の全てがホールに降りたと想定される所定時間後に、乗りかご３のドアと、乗り場すなわちホールのドアとを同期させて閉じる制御処理が行われ、ステップＳ６に移る。
【００２８】
［ステップＳ６］  エレベーター制御部５の制御により、以降エレベーターの運転を休止させる処理がなされ、処理は終了する。
【００２９】
［ステップＳ７］  ステップＳ３において安全装置誤作動検出部８の判断部で乗りかご３がドア開閉可能範囲外に停止したと、すなわち乗りかご３が階床間に停止したと判断されたとき、地震感知器１からの信号の受信が終了したか否かが安全装置誤作動検出部８の判断部で判断される。その判断部の判断で地震感知が終了したと判断されたときには、ステップＳ８に移る。なお、その判断部の判断で地震感知が終了していないと判断されたときには、繰り返し、地震感知器１からの信号の受信が終了したか否かが安全装置誤作動検出部８の判断部で判断される。
【００３０】
［ステップＳ８］  安全装置誤作動検出部８のタイマ部で計測された時間が、地震が終息したと想定される所定時間を超えたかどうか、安全装置誤作動検出部８の判断部で判断される。所定時間を超えたと判断されたときには、ステップＳ１０に移る。所定時間を超えていないと判断されたときには、ステップＳ９に移る。
【００３１】
［ステップＳ９］  エレベーター制御部５の制御によりエレベーターの運転を休止させる処理が継続され、ステップＳ７に戻る。
【００３２】
［ステップＳ１０］  エレベーター制御部５から出力された信号に基づいて、安全装置誤作動検出部８の判断部で、乗りかご３内の乗客の有無が判断される。その判断で乗りかご３内に乗客が存在すると判断されたときには、ステップＳ１１に移る。また、その判断で乗りかご３内に乗客が存在しないと判断されたときには、ステップＳ６に移り、エレベーター制御部５の制御によりエレベーターの運転を休止させる処理が継続される。
【００３３】
［ステップＳ１１］  安全装置誤作動検出部８の判断部で、安全装置を構成する調速機４から信号が出力されたか否か、すなわち地震による建物の揺れでロープ７が大きく揺れたことに伴って、乗りかご３の走行速度が第１の設定値を超えたと見做されて信号が調速機４から出力される誤作動を生じたか否か判断される。地震発生時に調速機４から信号が出力されていて誤作動と見做されたときには、ステップＳ１２に移る。調速機４から信号が出力されず誤作動を生じていないと判断されたときには、ステップＳ６に移り、エレベーター制御部５の制御によりエレベーターの運転を休止させる処理が継続される。
【００３４】
［ステップＳ１２］  安全装置誤作動検出部８からエレベーター制御部５に、エレベーター制御部５に入力された調速機４の信号を無効にする制御信号が出力され、ステップＳ１３に移る。
【００３５】
［ステップＳ１３］  安全装置誤作動検出部８から出力された制御信号に応じてエレベーター制御部５は地震時管制運転を再開し、ステップＳ１４に移る。
【００３６】
［ステップＳ１４］  前述した光センサから出射された光が遮蔽板で遮られたとき、エレベーター制御部５の判断部で、乗りかご３が最寄り階に着床したと判断され、前述したステップＳ４，Ｓ５，Ｓ６の処理がなされる。すなわち、乗りかご３内の全ての乗客をホールに退避させることができる。なお、前述した光センサから出射された光が遮蔽板で遮られていないときには、エレベーター制御部５の判断部で、乗りかご３が最寄り階に着床していない判断され、ステップＳ１４の判断が繰り返される。
【００３７】
以上のように構成した本実施形態に係るエレベーター制御システムによれば、地震発生時に乗りかご３が階床間に停止した際に、安全装置誤作動検出部８の判断部で乗りかご３内に乗客が存在すると判断され、しかも地震感知器１と調速機４の双方から信号が出力されたと判断されると、エレベーター制御部５に入力された調速機４の信号を無効とする制御信号が、安全装置誤作動検出部８からエレベーター制御部５に出力される。
【００３８】
したがって、エレベーター制御部５による地震時管制運転が再開され、乗りかご３を最寄り階まで走行させることができる。すなわち本実施形態は、地震発生時に調速機４が誤作動しても乗りかご３を最寄り階まで走行させることができる。これにより本実施形態は、地震発生時の調速機４の誤作動に伴う乗りかご３内の乗客の閉じ込めを防ぐことができ、乗りかご３の乗客に与える不安感を抑えることができる。
【００３９】
なお、前述した実施形態の構成に加えて、津波の発生に伴ってエレベーター制御部５に信号を出力する出力装置を備え、前述のように調速機４の誤作動によって乗りかご３が階床間に停止し、図２のステップＳ１２において安全装置誤作動検出部８からエレベーター制御部５に、調速機４から入力された信号を無効にする制御信号が出力された際に、前述した出力装置から津波の発生に伴う信号が出力されているときには、エレベーター制御部５によって乗りかご３を津波による被害を少なくする上階床に走行させる制御処理を行わせる構成にしてもよい。このように構成したものにあっては、地震に伴って津波が発生した際の乗りかご３の乗客の保護に貢献する。
【００４０】
また、前述した実施形態では、地震によって乗りかご３を階床間に停止させてしまう誤作動を生じ得る安全装置として調速機４を上げたが、本発明は、安全装置が調速機４であることには限定されない。安全装置が、地震発生時の建物の揺れに伴う誤作動を生じ得る他の機器、例えばエレベーターホールのホールドアが開いたことを検出するドアスイッチ、または乗りかご３のドアが開いたことを検出するドアスイッチを備えていてもよい。
【００４１】
本発明は前述した実施形態に限定されず、本発明の要旨を逸脱しない範囲で種々の変形が可能であり、特許請求の範囲に記載された技術思想に含まれる技術的事項の全てが本発明の対象となる。前述した実施形態は、好適な例を示したものであるが、当業者ならば、本明細書に開示の内容から、各種の代替例、修正例、変形例あるいは改良例を実現することができ、これらは添付の特許請求の範囲に記載された技術的範囲に含まれる。
【符号の説明】
【００４２】
１・・地震検知器、２・・昇降路、３・・乗りかご、４・・調速機（安全装置）、５・・エレベーター制御部、６・・乗客検出センサ、７・・ロープ、８・・安全装置誤作動検出部、９・・機械室、１０・・制御盤、１１・・監視装置、１２・・通信回線、１３・・管制センター
【図１】
2017193418.tif 000003
【図２】
2017193418.tif 000004